(57)【特許請求の範囲】
【請求項１】
脈波信号を取得する脈波信号取得ユニット（１１）と、
前記脈波信号のｍ階微分信号、及びｎ階微分信号を作成する微分信号作成ユニット（１３）と、
前記脈波信号に含まれる複数の拍のそれぞれについて、１拍の長さＰＰＩを算出する長さ算出ユニット（１４）と、
前記ｍ階微分信号に含まれる前記複数の拍のそれぞれについて、最大ピーク高さＡｍｐ１を算出する第１の高さ算出ユニット（１５）と、
前記ｎ階微分信号に含まれる前記複数の拍のそれぞれについて、最大ピーク高さＡｍｐ２を算出する第２の高さ算出ユニット（１７）と、
前記複数の拍のそれぞれについて、前記最大ピーク高さＡｍｐ１と前記最大ピーク高さＡｍｐ２との比であるＡｍｐ比を算出する比算出ユニット（１９）と、
前記複数の拍における前記長さＰＰＩのばらつきの大きさを算出する長さのばらつき算出ユニット（２１）と、
前記複数の拍における前記Ａｍｐ比のばらつきの大きさを算出する比のばらつき算出ユニット（２３）と、
前記長さＰＰＩのばらつきの大きさが予め設定された閾値を超え、且つ前記Ａｍｐ比のばらつきの大きさが予め設定された閾値以下であるという条件を、前記脈波信号が充足するか否かを判断する条件判断ユニット（２５）と、
を備え、
前記ｍは自然数であり、前記ｎは前記ｍより大きい自然数である脈波解析装置（１）。
【請求項２】
請求項１に記載の脈波解析装置であって、
前記条件を充足すると前記条件判断ユニットが判断した前記脈波信号に含まれる前記複数の拍のそれぞれについて、前記長さＰＰＩと、前記複数の拍における前記長さＰＰＩの中央値とのずれが、予め設定された基準値を超えているか否かを判断する拍単位判断ユニット（２７）をさらに備える脈波解析装置。
【請求項３】
請求項１又は２に記載の脈波解析装置であって、
前記長さＰＰＩのばらつきの大きさとは、以下の数式（１）で表されるパラメータＰＬである脈波解析装置。
数式（１）  ＰＬ＝Ｎｘ/Ｎ
（数式（１）においてＮは前記複数であり、Ｎｘは、前記複数の拍のうち、前記長さＰＰＩと、前記複数の拍における前記長さＰＰＩの中央値とのずれが、予め設定された基準値を超えている拍の数である。）
【請求項４】
請求項１〜３のいずれか１項に記載の脈波解析装置であって、
前記Ａｍｐ比のばらつきの大きさとは、以下の数式（２）で表されるパラメータＰａである脈波解析装置。
数式（２）  Ｐａ＝ＮＹ/Ｎ
（数式（２）においてＮは前記複数であり、ＮＹは、前記複数の拍のうち、前記Ａｍｐ比と、前記複数の拍における前記Ａｍｐ比の中央値とのずれが、予め設定された基準値を超えている拍の数である。）
【請求項５】
請求項１〜４のいずれか１項に記載の脈波解析装置であって、
前記ｍは１であり、前記ｎは２である脈波解析装置。
【請求項６】
請求項１〜５のいずれか１項に記載の脈波解析装置であって、
前記条件判断ユニットは、前記条件を充足する前記脈波信号を不整脈の脈波信号と判断し、前記長さＰＰＩのばらつきの大きさが予め設定された閾値を超え、且つ前記Ａｍｐ比のばらつきの大きさが予め設定された閾値を超える前記脈波信号をアーチファクトの脈波信号と判断し、前記長さＰＰＩのばらつきの大きさが予め設定された閾値以下である前記脈波信号を正常な脈波信号と判断する脈波解析装置。
【発明の詳細な説明】
【技術分野】
【０００１】
本発明は脈波解析装置に関する。
【背景技術】
【０００２】
従来、被験者の脈波信号を取得し、その脈波信号を解析することで血圧等を推定する装置が知られている。血圧等を精度よく推定するためには、脈波信号に不整脈が存在するか否かを判断し、不整脈が存在する場合は、それに対応した解析条件を設定する必要がある。特許文献１には、脈波信号に不整脈が存在するか否かを判断する方法が提案されている。  
【先行技術文献】
【特許文献】
【０００３】
【特許文献１】特許第５３３６８０３号公報
【発明の概要】
【発明が解決しようとする課題】
【０００４】
脈波信号には、それを取得するときの被験者の体動等に起因するノイズ（アーチファクト）が生じることがある。特許文献１記載の技術では、不整脈とアーチファクトとを判別することは困難であるため、脈波信号に不整脈が存在するか否かを正確に判断することができなかった。その結果、脈波信号を適切な条件で解析することが困難であった。
【０００５】
本発明は、こうした問題にかんがみてなされたものであり、脈波信号における不整脈とアーチファクトとを判別できる脈波解析装置を提供することを目的としている。
【課題を解決するための手段】
【０００６】
本開示の脈波解析装置は、脈波信号を取得する脈波信号取得ユニットと、脈波信号のｍ階微分信号、及びｎ階微分信号を作成する微分信号作成ユニットと、脈波信号に含まれる複数の拍のそれぞれについて、１拍の長さＰＰＩを算出する長さ算出ユニットと、ｍ階微分信号に含まれる複数の拍のそれぞれについて、最大ピーク高さＡｍｐ１を算出する第１の高さ算出ユニットと、ｎ階微分信号に含まれる複数の拍のそれぞれについて、最大ピーク高さＡｍｐ２を算出する第２の高さ算出ユニットと、複数の拍のそれぞれについて、最大ピーク高さＡｍｐ１と最大ピーク高さＡｍｐ２との比であるＡｍｐ比を算出する比算出ユニットと、複数の拍における長さＰＰＩのばらつきの大きさを算出する長さのばらつき算出ユニットと、複数の拍におけるＡｍｐ比のばらつきの大きさを算出する比のばらつき算出ユニットと、長さＰＰＩのばらつきの大きさが予め設定された閾値を超え、且つＡｍｐ比のばらつきの大きさが予め設定された閾値以下であるという条件を、脈波信号が充足するか否かを判断する条件判断ユニットとを備える。ｍは自然数であり、ｎはｍより大きい自然数である。    
【０００７】
本開示の脈波解析装置は、取得した脈波信号が、上記の条件を充足するか否かを判断することができる。上記の条件は、不整脈は存在するが、アーチファクトの影響は少ない脈波信号が充足する条件である。よって、本開示の脈波解析装置は、取得した脈波信号が、不整脈は存在するが、アーチファクトの影響は少ない脈波信号に該当するか否かを判断することができる。すなわち、本開示の脈波解析装置は、脈波信号における不整脈とアーチファクトとを判別することができる。
【図面の簡単な説明】
【０００８】
【図１】脈波解析装置１の構成を表すブロック図である。
【図２】脈波解析装置１の機能的構成を表すブロック図である。
【図３】脈波解析装置１が実行する解析処理の全体を表すフローチャートである。
【図４】脈波解析装置１が実行する拍単位判断処理を表すフローチャートである。
【図５】脈波信号、１階微分信号、及び２階微分信号と、Ａｍｐ０、Ａｍｐ１、Ａｍｐ２、ＰＰＩ１、及びＰＰＩ２とを表す説明図である。
【図６】正常タイプの脈波信号の例を表すグラフである。
【図７】正常タイプの脈波信号の例を表すグラフである。
【図８】アーチファクトタイプの脈波信号の例を表すグラフである。
【図９】不整脈タイプの脈波信号の例を表すグラフである。
【図１０】不整脈タイプの脈波信号の例を表すグラフである。
【図１１】不整脈タイプの脈波信号の例を表すグラフである。
【図１２】不整脈タイプの脈波信号の例を表すグラフである。
【図１３】脈波信号に含まれる各拍の長さＰＰＩ及びＡｍｐ比と、拍単位判断処理の結果とを表す説明図である。
【図１４】３階微分信号、Ａｍｐ３、及びＰＰＩ３を表す説明図である。
【図１５】Ｇｒａｄ（ｍ−１）、Ｇｒａｄ（ｎ−１）を表す説明図である。
【発明を実施するための形態】
【０００９】
本開示の実施形態を図面に基づき説明する。
＜第１実施形態＞
１．脈波解析装置１の構成
脈波解析装置１の構成を、図１、及び図２に基づき説明する。図１に示すように、脈波解析装置１は、脈波センサ３、入力ユニット４、及び血圧計５と接続されている。脈波解析装置１は、入力ユニット４に対しユーザの入力があったとき、脈波センサ３を用いて被験者の脈波信号を取得し、その脈波信号に対し後述する解析処理を実行する。脈波解析装置１は、解析処理の結果（以下では解析結果とする）と脈波信号とを血圧計５に出力する。
【００１０】
脈波解析装置１は、ＣＰＵ７と、ＲＡＭ、ＲＯＭ、フラッシュメモリ等の半導体メモリ（以下、メモリ９とする）と、を有する周知のマイクロコンピュータを中心に構成される。脈波解析装置１の各種機能は、ＣＰＵ７が非遷移的実体的記録媒体に格納されたプログラムを実行することにより実現される。この例では、メモリ９が、プログラムを格納した非遷移的実体的記録媒体に該当する。また、このプログラムの実行により、プログラムに対応する方法が実行される。なお、脈波解析装置１を構成するマイクロコンピュータの数は１つでも複数でもよい。
【００１１】
脈波解析装置１は、ＣＰＵ７がプログラムを実行することで実現される機能の構成として、図２に示すように、脈波信号取得ユニット１１と、微分信号作成ユニット１３と、第１の高さ算出ユニット１５と、第２の高さ算出ユニット１７と、比算出ユニット１９と、長さのばらつき算出ユニット２１と、比のばらつき算出ユニット２３と、条件判断ユニット２５と、拍単位判断ユニット２７と、出力ユニット２８と、を備える。脈波解析装置１を構成するこれらの要素を実現する手法はソフトウェアに限るものではなく、その一部又は全部の要素を、論理回路やアナログ回路等を組み合わせたハードウェアを用いて実現してもよい。
【００１２】
脈波センサ３は、被験者の指から脈波信号を検出可能な周知のセンサである。脈波センサ３は、発光ダイオード（ＬＥＤ）２９とフォトダイオード（ＰＤ）３１とを備える。発光ダイオード２９は、被験者の指における皮膚に対して可視光の光を照射する。この光の波長は、５０００Å〜７０００Åである。発光ダイオード２９が照射した光の一部は皮膚の毛細血管内において反射される。フォトダイオード３１は、発光ダイオード２９が照射した光のうち、毛細血管内で反射された光を受光し、電気信号として取り出す。取り出した電気信号は、被験者の脈波を反映して変動する脈波信号である。
【００１３】
入力ユニット４は、ユーザによる入力操作を受け付ける。入力ユニット４は、入力操作を受け付けたとき、その入力操作に予め対応付けられた入力信号を脈波解析装置１に出力する。
【００１４】
血圧計５は、脈波解析装置１から取得した解析結果及び脈波信号を用いて、周知の方法で被験者の血圧を推定する。すなわち、血圧計５は、脈波解析装置１から取得した解析結果を用いて、血圧を推定するときの設定条件を変更する。また、血圧計５は、脈波解析装置１から取得した解析結果を用いて、脈波信号に含まれる拍のうち、アーチファクトに影響された拍、及び不整脈の拍を特定する。
【００１５】
次に、血圧計５は、脈波信号に含まれる拍のうち、アーチファクトに影響された拍、及び不整脈の拍を除外する。次に、血圧計５は、脈波信号に含まれる拍のうち、除外されずに残った拍（すなわち、アーチファクトの影響が少なく、不整脈に該当しない拍）の特徴量を平均化し、その平均化された特徴量から、被験者の血圧を推定する。なお、血圧計５が脈波解析装置１から取得する解析結果については後述する。
【００１６】
２．脈波解析装置１が実行する解析処理
入力ユニット４から入力信号を受けたとき、脈波解析装置１が実行する解析処理を図３〜図１３に基づき説明する。図３のステップ１では、脈波信号取得ユニット１１が、脈波センサ３を用いて被験者から脈波信号を取得する。この脈波信号は２０拍を含む。２０拍は複数の拍に対応する。
【００１７】
ステップ２では、微分信号作成ユニット１３が、前記ステップ１で取得した脈波信号の１階微分信号、及び２階微分信号を作成する。１階微分信号はｍ階微分信号（ｍは自然数）に対応し、２階微分信号はｎ階微分信号（ｎはｍより大きい自然数）に対応する。  
【００１８】
ステップ３では、長さ算出ユニット１４が、１階微分信号に含まれる２０拍のそれぞれについて、１拍の長さＰＰＩを算出する。長さＰＰＩとは、任意の拍における特定の位相での時刻と、その次の拍における同じ位相での時刻との時間差である。上記の特定の位相は適宜設定することができる。なお、長さＰＰＩは、脈波信号、１階微分信号、及び２階微分信号において共通している。そのため、長さＰＰＩは、脈波信号から算出してもよいし、１階微分信号から算出してもよいし、２階微分信号から算出してもよい。１階微分信号から算出した長さＰＰＩ（以下では長さＰＰＩ１とする）の例を、図５に示す。また、２階微分信号から算出した長さＰＰＩ（以下では長さＰＰＩ２とする）の例を、図５に示す。１つの脈波信号における長さＰＰＩ１と長さＰＰＩ２とは実質的に同じ値である。
【００１９】
ステップ４では、第１の高さ算出ユニット１５が、前記ステップ２で作成した１階微分信号に含まれる２０拍のそれぞれについて、最大ピーク高さＡｍｐ１を算出する。最大ピーク高さＡｍｐ１とは、１階微分信号における１拍の中に存在する最大ピークの高さである。最大ピーク高さＡｍｐ１の例を図５に示す。
【００２０】
ステップ５では、第２の高さ算出ユニット１７が、前記ステップ２で作成した２階微分信号に含まれる２０拍のそれぞれについて、最大ピーク高さＡｍｐ２を算出する。最大ピーク高さＡｍｐ２とは、２階微分信号における１拍の中に存在する最大ピークの高さである。最大ピーク高さＡｍｐ２の例を図５に示す。
【００２１】
ステップ６では、比算出ユニット１９が、２０拍のそれぞれについて、前記ステップ４で算出した最大ピーク高さＡｍｐ１と、前記ステップ５で算出した最大ピーク高さＡｍｐ２との比であるＡｍｐ比を算出する。Ａｍｐ比は、Ａｍｐ１／Ａｍｐ２と表される値である。
【００２２】
ステップ７では、長さのばらつき算出ユニット２１が、以下の数式（３）で表されるパラメータＰＬを算出する。パラメータＰＬは、長さＰＰＩのばらつきの大きさに対応する。
【００２３】
数式（３）  ＰＬ＝Ｎｘ/２０
ここで、数式（３）におけるＮｘは、脈波信号に含まれる２０拍のうち、長さＰＰＩと、中央値ＰＰＩ０とのずれが、予め設定された基準値を超えている拍の数である。中央値ＰＰＩ０とは、２０拍における長さＰＰＩの中央値である。すなわち、中央値ＰＰＩ０とは、２０拍の長さＰＰＩを大きさの順に並べ、１０番目の値と１１番目の値とを平均した値である。長さＰＰＩと、中央値ＰＰＩ０とのずれとは、両者の差の絶対値である。また、上記の基準値とは、中央値ＰＰＩ０の３０％である。
【００２４】
ステップ８では、比のばらつき算出ユニット２３が、以下の数式（４）で表されるパラメータＰａを算出する。パラメータＰａは、Ａｍｐ比のばらつきの大きさに対応する。
数式（４）  Ｐａ＝ＮＹ/２０
ここで、数式（４）におけるＮＹは、脈波信号に含まれる２０拍のうち、Ａｍｐ比と、中央値Ａｍｐ０とのずれが、予め設定された基準値を超えている拍の数である。中央値Ａｍｐ０とは、２０拍におけるＡｍｐ比の中央値である。すなわち、中央値Ａｍｐ０とは、２０拍のＡｍｐ比を大きさの順に並べ、１０番目の値と１１番目の値とを平均した値である。Ａｍｐ比と、中央値Ａｍｐ０とのずれとは、両者の差の絶対値である。また、上記の基準値とは、中央値Ａｍｐ０の３０％である。
【００２５】
ステップ９では、前記ステップ７で算出したパラメータＰＬが閾値を超えているか否かを、条件判断ユニット２５が判断する。閾値は３０％である。パラメータＰＬが閾値以下である場合はステップ１０に進み、閾値を超えている場合はステップ１２に進む。
【００２６】
ステップ１０では、前記ステップ１で取得した脈波信号を、正常タイプと判断する。正常タイプとは、アーチファクトの影響を受けた拍が少なく、不整脈に該当する拍も少ないことを意味する。図６、及び図７に、正常タイプの脈波信号と判断された脈波信号の例を示す。これらの脈波信号は、実際に、アーチファクトの影響を受けた拍が少なく、不整脈に該当する拍も少ない。
【００２７】
ステップ１１では、出力ユニット２８が解析結果を血圧計５に出力する。解析結果とは、前記ステップ１０、又は後述するステップ１３、１４の判断結果である。また、後述するステップ１５を実行した場合は、後述するステップ２２、２４、２５の判断結果も、解析結果に含まれる。
【００２８】
前記ステップ９で肯定判断した場合はステップ１２に進む。ステップ１２では、前記ステップ８で算出したパラメータＰａが閾値以下であるか否かを、条件判断ユニット２５が判断する。閾値は３０％である。パラメータＰａが閾値を超える場合はステップ１３に進み、閾値以下である場合はステップ１４に進む。
【００２９】
ステップ１３では、前記ステップ１で取得した脈波信号を、アーチファクトタイプと判断する。アーチファクトタイプとは、アーチファクトの影響を受けた拍が多いことを意味する。図８に、アーチファクトタイプと判断された脈波信号の例を示す。この脈波信号には、実際に、アーチファクトの影響を受けた拍が多い。
【００３０】
ステップ１４では、前記ステップ１で取得した脈波信号を、不整脈タイプと判断する。不整脈タイプとは、不整脈に該当する拍が多く、アーチファクトの影響を受けた拍は少ないことを意味する。図９〜図１２に、不整脈タイプと判断された脈波信号の例を示す。これらの脈波信号には、実際に、不整脈に該当する拍が多く、アーチファクトの影響を受けた拍は少ない。
【００３１】
ステップ１５では、拍単位判断ユニット２７が、拍単位判断処理を実行する。この拍単位判断処理を、図４、及び図１３に基づき説明する。拍単位判断ユニット２７は脈波信号に含まれる２０拍のそれぞれについて、拍単位判断処理を実行する。
【００３２】
図４のステップ２１では、拍単位判断処理の対象となった拍における長さＰＰＩのずれが、基準値を超えるか否かを判断する。長さＰＰＩのずれとは、長さＰＰＩと、中央値ＰＰＩ０との差の絶対値である。基準値とは、中央値ＰＰＩ０の３０％である。長さＰＰＩのずれが基準値以下である場合はステップ２２に進み、長さＰＰＩのずれが基準値を超える場合はステップ２３に進む。
【００３３】
ステップ２２では、拍単位判断処理の対象となった拍を、正常の拍と判断する。正常の拍とは、アーチファクトの影響が少なく、不整脈ではない拍を意味する。
ステップ２３では、拍単位判断処理の対象となった拍におけるＡｍｐ比のずれが基準値を超えるか否かを判断する。Ａｍｐ比のずれとは、Ａｍｐ比と、中央値Ａｍｐ０との差の絶対値である。基準値とは、中央値Ａｍｐ０の３０％である。Ａｍｐ比のずれが基準値を超える場合はステップ２４に進み、Ａｍｐ比のずれが基準値以下である場合はステップ２５に進む。
【００３４】
ステップ２４では、拍単位判断処理の対象となった拍を、アーチファクトの拍と判断する。アーチファクトの拍とは、アーチファクトの影響が大きい拍を意味する。
ステップ２５では、拍単位判断処理の対象となった拍を、不整脈の拍と判断する。不整脈の拍とは、アーチファクトの影響は小さく、不整脈の特徴が見られる拍を意味する。
【００３５】
拍単位判断処理の結果の例を図１３に示す。図１３において「Ａ」の印を付した拍は、アーチファクトの拍と判断された拍であり、「Ｂ」の印を付した拍は、不整脈の拍と判断された拍であり、その他は、正常と判断された拍である。図１３の長さＰＰＩの表示において、下限値から上限値までの範囲が、長さＰＰＩのずれが基準値以下の範囲である。また、図１３のＡｍｐ比の表示において、下限値から上限値までの範囲が、Ａｍｐ比のずれが基準値以下の範囲である。
【００３６】
アーチファクトの拍と判断された拍では、実際に、アーチファクトの影響が大きかった。また、不整脈の拍と判断された拍は、実際に、不整脈の拍であった。また、正常の拍と判断された拍では、実際に、アーチファクトの影響は少なく、不整脈に該当しなかった。
【００３７】
３．脈波解析装置１が奏する効果
（１Ａ）脈波解析装置１は、長さＰＰＩのばらつきの大きさと、Ａｍｐ比のばらつきの大きさとを用いて、脈波信号が、正常タイプ、アーチファクトタイプ、及び不整脈タイプのいずれであるのかを判断することができる。特に、脈波解析装置１は、脈波信号が、アーチファクトタイプと不整脈タイプとのうちのいずれであるのかを判断することができる。
【００３８】
その結果、脈波解析装置１を用いれば、血圧を推定するときの解析条件を脈波信号のタイプに応じて適切に設定し、血圧推定を精度よく行うことが可能になる。
（１Ｂ）脈波解析装置１は、脈波信号に含まれる拍のそれぞれについて、正常の拍、アーチファクトの拍、及び不整脈の拍のうちのいずれであるかを判断することができる。そのため、血圧推定を一層精度よく行うことができる。例えば、脈波信号から、正常の拍のみを取り出し、脈波解析を行うことで、血圧推定の精度を一層高めることができる。
【００３９】
（１Ｃ）脈波解析装置１は、長さＰＰＩのばらつきの大きさを表すパラメータとしてＰＬを算出し、使用する。そのことにより、脈波信号の判別を一層正確且つ容易に行うことができる。
【００４０】
（１Ｄ）脈波解析装置１は、Ａｍｐ比のばらつきの大きさを表すパラメータとしてＰａを算出し、使用する。そのことにより、脈波信号の判別を一層正確且つ容易に行うことができる。
【００４１】
（１Ｆ）脈波解析装置１は、１階微分信号と、２階微分信号とを使用する。そのことにより、脈波信号の判別を一層正確且つ容易に行うことができる。
＜他の実施形態＞
以上、本発明を実施するための形態について説明したが、本発明は上述の実施形態に限定されることなく、種々変形して実施することができる。
【００４２】
（１）脈波解析装置１は、脈波信号の３階微分信号を作成し、これを使用してもよい。例えば、図１４に示すように、３階微分信号において長さＰＰＩを算出してもよい。３階微分信号において算出した長さＰＰＩを、長さＰＰＩ３とする。長さＰＰＩ３は、長さＰＰＩ１、ＰＰＩ２と実質的に同じである。
【００４３】
また、脈波解析装置１は、３階微分信号において最大ピーク高さＡｍｐ３を算出し、これを使用してもよい。例えば、Ａｍｐ比を、Ａｍｐ１／Ａｍｐ３と表される値としてもよいし、Ａｍｐ２／Ａｍｐ３と表される値としてもよい。
【００４４】
（２）脈波解析装置１は、図５に示すように、微分していない脈波信号において最大ピーク高さＡｍｐ０を算出し、これを使用してもよい。例えば、Ａｍｐ比を、Ａｍｐ０／Ａｍｐ１と表される値としてもよいし、Ａｍｐ０／Ａｍｐ２と表される値としてもよいし、Ａｍｐ０／Ａｍｐ３と表される値としてもよい。
【００４５】
（３）本明細書において、Ａｍｐ１は、ｍ階微分信号において最大ピーク高さを直接計測した値であってもよいし、数学的にそれと同等の（例えば、同じか、比例関係にある）値であってもよい。例えば、図１５に示すように、（ｍ−１）階微分信号のうち、ｍ階微分信号において最大ピークとなる部分の傾きＧｒａｄ（ｍ−１）を計測し、それをＡｍｐ１として用いてもよい。ｍ階微分信号において最大ピークとなる部分は、例えば、（ｍ−１）階微分信号において、３０％高さから７０％高さの部分である。なお、図１５は、ｍが１であり、ｎが２である例である。図１５において（ｍ−１）階微分信号は脈波信号であり、（ｎ−１）階微分信号は１階微分信号である。
【００４６】
また、Ａｍｐ２は、ｎ階微分信号において最大ピーク高さを直接計測した値であってもよいし、数学的にそれと同等の（例えば、同じか、比例関係にある）値であってもよい。例えば、図１５に示すように、（ｎ−１）階微分信号のうち、ｎ階微分信号において最大ピークとなる部分の傾きＧｒａｄ（ｎ−１）を計測し、それをＡｍｐ２として用いてもよい。ｎ階微分信号において最大ピークとなる部分は、例えば、（ｎ−１）階微分信号において、３０％高さから７０％高さの部分である。また、Ａｍｐ比として、Ｇｒａｄ（ｎ−１）／  Ｇｒａｄ（ｍ−１）を用いてもよい。
【００４７】
（４）長さＰＰＩのばらつきの大きさを表すパラメータは、ＰＬ以外のものでもよく、適宜選択できる。例えば、２０拍の長さＰＰＩにおける標準偏差等を、長さＰＰＩのばらつきの大きさを表すパラメータとして用いることができる。また、Ａｍｐ比のばらつきの大きさを表すパラメータは、Ｐａ以外のものでもよく、適宜選択できる。例えば、２０拍のＡｍｐ比における標準偏差等を、Ａｍｐ比のばらつきの大きさを表すパラメータとして用いることができる。
【００４８】
（５）脈波解析装置１は、前記ステップ１５の処理を行わなくてもよい。
（６）脈波解析装置１は、血圧計５の機能を備えていてもよい。脈波解析装置１は、脈波信号と、解析結果とを用いて、不整脈を判定する機能、自律神経解析機能、血管の弾性を評価する機能等を備えていてもよい。
【００４９】
（７）前記ステップ９、ステップ１２の処理で用いる閾値は、３０％以外の値であってもよい。例えば、閾値を、１〜５０％の範囲内で適宜設定することができる。
（８）前記ステップ２１の処理で使用する基準値は、中央値ＰＰＩ０の３０％以外の値であってもよい。例えば、基準値を、中央値ＰＰＩ０の１〜５０％の範囲内で適宜設定することができる。
【００５０】
（９）前記ステップ２３の処理で使用する基準値は、中央値Ａｍｐ０の３０％以外の値であってもよい。例えば、基準値を、中央値Ａｍｐ０の１〜５０％の範囲内で適宜設定することができる。
【００５１】
（１０）前記ステップ１で取得する脈波信号に含まれる拍の数は２０以外であってもよく、例えば、５〜１０００の範囲内で適宜設定することができる。
（１１）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５２】
（１２）上述した脈波解析装置１の他、当該脈波解析装置１を構成要素とするシステム、当該脈波解析装置１としてコンピュータを機能させるためのプログラム、このプログラムを記録した半導体メモリ等の非遷移的実態的記録媒体、脈波解析方法、血圧測定方法等、種々の形態で本発明を実現することもできる。
【符号の説明】
【００５３】
１…脈波解析装置、１１…脈波信号取得ユニット、１３…微分信号作成ユニット、１４…長さ算出ユニット、１５…第１の高さ算出ユニット、１７…第２の高さ算出ユニット、１９…比算出ユニット、２１…長さのばらつき算出ユニット、２３…比のばらつき算出ユニット、２５…条件判断ユニット 
【図１】
0006519487.tif 000002
【図２】
0006519487.tif 000003
【図３】
0006519487.tif 000004
【図４】
0006519487.tif 000005
【図５】
0006519487.tif 000006
【図６】
0006519487.tif 000007
【図７】
0006519487.tif 000008
【図８】
0006519487.tif 000009
【図９】
0006519487.tif 000010
【図１０】
0006519487.tif 000011
【図１１】
0006519487.tif 000012
【図１２】
0006519487.tif 000013
【図１３】
0006519487.tif 000014
【図１４】
0006519487.tif 000015
【図１５】
0006519487.tif 000016